(57)【特許請求の範囲】
【請求項１】
受信画データを受け入れて格納するメモリ部と、
印刷品質検査用のテストパタンを読み取り、テストパタン読み取りデータを出力するテストパタン読み取り部と、
前記テストパタンを再現させるテストパタン書き込みデータを所持すると共に、前記テストパタン読み取り部から前記テストパタン読み取りデータを受け入れて、テストパタン評価結果を出力するテストパタン・データ処理部と、
前記テストパタン評価結果の評価基準を定める、かすれ判定パラメータを格納するパラメータ記憶部と、
印刷動作を制御する制御部とを備え、
前記制御部は、
前記テストパタン・データ処理部からテストパタン書き込みデータを受け入れて、前記メモリ部から読み出した前記受信画データと共に前記印刷品質検査用のテストパタンを用紙上に再現させ、前記テストパタン・データ処理部からテストパタン評価結果を受け入れ、
前記パラメータ記憶部から操作者の選択による前記かすれ判定パラメータを受け入れて、
前記テストパタン評価結果が、このかすれ判定パラメータにより決定された評価基準を満たさない場合は、前記メモリ部に前記受信画データの格納状態を維持させ、前記テストパタン評価結果が、前記評価基準を満たす場合は、格納された前記受信画データを消去することを特徴とする画像形成装置。
【請求項２】
請求項１に記載の画像形成装置において、
前記かすれ判定パラメータは、消耗品が通常使用で交換される時点の状態である普通レベルと、少しのかすれも許されない厳しいレベルと、４ビットラインが正常であれば所定量かすれがあっても合格とされる甘いレベルの３段階の判定基準を有することを特徴とする画像形成装置。
【発明の詳細な説明】
【０００１】
【発明の属する技術分野】
本発明は、ファクシミリ装置等、印刷機能を有する画像形成装置に関する。
【０００２】
【従来の技術】
印刷機能を有する画像形成装置の代表例としてファクシミリ装置を挙げて、以下に説明する。
ファクシミリ装置は、通常受信画データ又は送信画データを格納するメモリを所持している。受信動作中に受信画データは、一旦メモリに記憶される。その後、メモリから読み出されて用紙上に印刷される。用紙上に印刷された後、受信画データはメモリから消去される。この受信動作中に印刷機能が正常に働かなくなった場合を想定する。かかる場合に操作者は装置を修正する。操作者は、自己の判断で印刷機能の回復を判断したとき、印刷は再開される。
【０００３】
【発明が解決しようとする課題】
上記従来の技術では、印刷機能が正常に働かなくなったことを操作者が気づかぬ限り、印刷は、継続される。操作者が気づいて印刷機能を修正しても、気づく前に異常な状態で印刷された受信画データは、すでにメモリから消去されており、修正後に再現させることは、不可能である。さらに、異常な状態の判断を操作者が行うので、その判断精度に欠ける場合も発生する。
【０００４】
【課題を解決するための手段】
本発明は以上の点を解決するため次の構成を採用する。
〈構成１〉
受信画データを受け入れて格納するメモリ部と、印刷品質検査用のテストパタンを読み取り、テストパタン読み取りデータを出力するテストパタン読み取り部と、上記テストパタンを再現させるテストパタン書き込みデータを所持すると共に、上記テストパタン読み取り部から上記テストパタン読み取りデータを受け入れて、テストパタン評価結果を出力するテストパタン・データ処理部と、上記テストパタン評価結果の評価基準を定める、かすれ判定パラメータを格納するパラメータ記憶部と、印刷動作を制御する制御部とを備え、上記制御部は、上記テストパタン・データ処理部からテストパタン書き込みデータを受け入れて、上記メモリ部から読み出した上記受信画データと共に上記印刷品質検査用のテストパタンを用紙上に再現させ、上記テストパタン・データ処理部からテストパタン評価結果を受け入れ、上記パラメータ記憶部から操作者の選択による上記かすれ判定パラメータを受け入れて、上記テストパタン評価結果が、このかすれ判定パラメータにより決定された評価基準を満たさない場合は、上記メモリ部に上記受信画データの格納状態を維持させ、上記テストパタン評価結果が、上記評価基準を満たす場合は、格納された上記受信画データを消去することを特徴とする画像形成装置。
【０００６】
〈構成２〉
構成１に記載の画像形成装置において、上記かすれ判定パラメータは、消耗品が通常使用で交換される時点の状態である普通レベルと、少しのかすれも許されない厳しいレベルと、４ビットラインが正常であれば所定量かすれがあっても合格とされる甘いレベルの３段階の判定基準を有することを特徴とする画像形成装置。
【０００７】
【発明の実施の形態】
以下、本発明の実施の形態を一例としてファクシミリ装置に限定して説明する。
〈具体例１の構成〉
図１は、具体例１の構成のブロック図である。
図１より、具体例１のファクシミリ装置は、操作・表示部１と、原稿読み取り部２と、メモリ部３と、ＦＡＸ通信部４と、印刷部５と、テストパタン読み取り部６と、テストパタン・データ処理部７と、制御部８とによって構成される。
【０００８】
操作・表示部１は、ファクシミリの操作、設定、アラームの表示を行う部分である。
原稿読み取り部２は、送信原稿の読み取りを行う部分である。
メモリ部３は、受信画データを受け入れて格納する部分である。
ＦＡＸ通信部４は、発呼、着呼を含み、ファクシミリの通信を行う部分である。
【０００９】
印刷部５は、受信画データと後記する印刷品質検査用のテストパタンを用紙上に再現する部分である。
テストパタン読み取り部６は、印刷品質検査用のテストパタンを読み取り、テストパタン読み取りデータを出力する部分である。
【００１０】
テストパタン・データ処理部７は、上記テストパタンを用紙上に再現するためのテストパタン書き込みデータを所持すると共に、上記テストパタン読み取り部６からテストパタン読み取りデータを受け入れて、テストパタン評価結果を出力する部分である。
制御部８は、装置全体を制御する部分である。
【００１１】
〈具体例１の動作〉
最初に図を用いて動作原理について説明する。
図２は、具体例１の動作原理説明図である。
（ａ）は、主な動作の流れを表している。
（ｂ）は、テストパタンの一例を表している。
（ｃ）は、テストパタン読み取り例（正常に印刷されている場合）を表している。
（ｄ）は、テストパタン読み取り例（かすれている場合）を表している。
【００１２】
（ａ）より、最初に用紙１０上に印刷部（印刷処理）５−１によって受信画データとテストパタンが印刷される。次にテストパタン読み取り部６によって用紙１０上のテストパタンが読み取られ、印刷部（排出ローラ）５−２によって用紙１０は、排出される。
（ｂ）より、上記印刷部（印刷処理）５−１によって用紙１０上に印刷されたテストパタンは、用紙１０上の片隅に、テストパタン１２に示すように用紙１０の進行方向に直角な１ビットの黒ライン、１ビットの白ライン、２ビットの黒ライン、１ビットの白ライン、４ビットの黒ラインが平行して印刷される。このときのテストパタン書き込みデータ１３はデータ値（１０１１０１１１１）である。
【００１３】
（ｃ）より、テストパタンは、テストパタン読み取り部６によって矢印の方向に読み取られる。このときのテストパタン読み取りデータ１４は、データ値（１０１１０１１１１）である。このデータ値（１０１１０１１１１）はテストパタン書き込みデータ１３のデータ値（１０１１０１１１１）と同じである。従って、この状態は、正常に印刷されている状態である。
【００１４】
（ｄ）より、テストパタンは、テストパタン読み取り部６によって矢印の方向に読み取られる。このときのテストパタン読み取りデータ１４は、データ値（００１１０１１１１）である。このデータ値（００１１０１１１１）はテストパタン書き込みデータ１３のデータ値（１０１１０１１１１）と異なる。この状態は、テストパタンの最初の１ビットが読み取られていないので、かすれていると判断される。
【００１５】
次に、フローチャートを用いて具体例１のファクシミリ装置の動作について説明する。
図３は、具体例１の動作のフローチャートである。
図３のステップＳ１〜ステップＳ１１に従って具体例１のファクシミリ装置の動作について説明する。
【００１６】
ステップＳ１
具体例１のファクシミリ装置は画データの着信を待って待機している。
ステップＳ２
ＦＡＸ通信部４（図１）は、回線を介して画データの受信を開始し、制御部８（図１）は、この受信画データをメモリ部３（図１）に格納させる。
【００１７】
ステップＳ３
制御部（図１）は、印刷部５（図１）に印刷開始を指示し、メモリ部３（図１）から受信画データを読み出し、同様にテストパタン・データ処理部７（図１）からテストパタン書き込みデータを読み出して、印刷部５（図１）へ送る。
【００１８】
ステップＳ４
印刷部５（図１）は、受信画データと共にテストパタンを用紙上に印刷する。
ステップＳ５
テストパタン読み取り部６（図１）は、用紙上のテストパタンを読み取ってテストパタン読み取りデータをテストパタン・データ処理部７（図１）へ送る。
印刷部５（図１）は用紙を排出する。
【００１９】
ステップＳ６
テストパタン・データ処理部７（図１）は、テストパタン読み取りデータを受け入れて印刷状態を上記動作原理に従って評価し、テストパタン評価結果を制御部８（図１）へ送る。制御部８（図１）は、このテストパタン評価結果に基づいて、正常に印刷されている（図２の（ｃ））ときは、ステップＳ７へ進み、かすれて印刷されている（図２の（ｄ））ときは、ステップＳ８へ進む。
【００２０】
ステップＳ７
制御部８（図１）は、受信画データをメモリ部３（図１）から消去して、ステップＳ１へ戻って後に続く画データの受入を待つ。
ステップＳ８
制御部８（図１）は、受信画データをメモリ部３（図１）に格納したまま操作・表示部１（図１）を制御してアラームを表示させる。
【００２１】
ステップＳ９
アラーム表示を検知した操作者が、印刷結果を検査して印刷がかすれていない場合にはステップＳ１１へ進み、印刷がかすれている場合はステップＳ１０へ進む。
ステップＳ１０
操作者が、再印刷を指示すると受信画データはメモリ部３（図１）に格納されたままステップＳ４へ戻って再印刷が開始される。
【００２２】
ステップＳ１１
操作者が、受信画データの消去を指示するとメモリ部３（図１）に格納された受信画データは消去され（ステップＳ７）、ステップＳ１へ戻って後に続く画データの受入を待つ。
【００２３】
〈具体例１の効果〉
具体例１の構成を採用して印刷結果をテストパタンを用いて評価することによって以下の効果を得る。
１．印刷結果が悪かったときには、メモリ部に格納されている受信画データは、そのまま格納状態に維持されるので、印刷部を調整した後に再度同じ画データを用紙上に再現することが可能になる。
２．又、テストパタンを用いて印刷状態が常時観察され、印刷結果が悪い場合には、自動的にアラーム表示されるので印刷品質の向上に繋がる。
【００２４】
〈具体例２の構成〉
上記具体例１では、受信画データの複雑さ、即ち、小さな文字の多い受信画データ、あるいは大きな文字の多い受信画データ、等、受信画データの違いを考慮していない。従って、小さい細い文字の多い受信画データを受信したときに、かすれが発生した場合には、かすれが微妙であっても、操作者は、印刷状態を確認できない場合が発生し得る。かかる問題を解決するために具体例２のファクシミリ装置は以下のように構成される。
【００２５】
図４は、具体例２の構成のブロック図である。
図４より、具体例２のファクシミリ装置は、操作・表示部１と、原稿読み取り部２と、メモリ部３と、ＦＡＸ通信部４と、印刷部５と、テストパタン読み取り部６と、テストパタン・データ処理部７と、制御部８と、画データ解析部１１とによって構成される。
【００２６】
具体例１との差異のみについて説明する。
画データ解析部１１は、受信画データのビット配列状態から、受信画データの複雑度を検出して受信画評価結果を出力する部分である。
即ち、この画データ解析部１１が、受信画データを小さい文字が多いと判定した場合には、テストパタンの全てのラインが再現されていない場合には印刷不合格とする厳しい判定基準を採用し、受信画データを大きい文字が多いと判定した場合には、テストパタンの４ビットラインのみ再現されていれば合格とする甘い判定基準を採用する等、印刷品質向上を目指す部分である。
他の構成部分は具体例１と同様なので説明を割愛する。
【００２７】
〈具体例２の動作〉
最初に図を用いて動作原理について説明する。
図５は、具体例２の動作原理説明図である。
（ａ）は、テストパタンの一例を表している。
（ｂ）は、テストパタン読み取り例（正常に印刷されている場合）を表している。
（ｃ）は、テストパタン読み取り例（かすれている場合）を表している。
（ｄ）は、読み取り結果と合格、失格の判定の一例を表している。
【００２８】
（ａ）より、上記印刷部（印刷処理）５−１（図２）によって用紙１０上に印刷されたテストパタンは、用紙１０上の片隅に、テストパタン１２に示すように用紙１０の進行方向に直角な１ビットの黒ライン、１ビットの白ライン、２ビットの黒ライン、１ビットの白ライン、４ビットの黒ラインが平行して印刷される。このときのテストパタン書き込みデータ１３はデータ値（１０１１０１１１１）である。
【００２９】
（ｂ）より、テストパタンは、テストパタン読み取り部６によって矢印の方向に読み取られる。このときのテストパタン読み取りデータ１４は、データ値（１０１１０１１１１）である。このデータ値（１０１１０１１１１）はテストパタン書き込みデータ１３のデータ値（１０１１０１１１１）と同じである。従って、この状態は、正常に印刷されている状態である。
【００３０】
（ｃ）より、テストパタンは、テストパタン読み取り部６によって矢印の方向に読み取られる。このときのテストパタン読み取りデータ１４は、データ値（００１１０１１１１）である。このデータ値（００１１０１１１１）はテストパタン書き込みデータ１３のデータ値（１０１１０１１１１）と異なる。この状態は、テストパタンの最初の１ビットが読み取られていないので、かすれていると判断される。
【００３１】
（ｄ）より、（１）読み取り結果（テストパタン読み取りデータ）が（１０１１０１１１１）の場合は、テストパタン書き込みデータ１３のデータ値（１０１１０１１１１）と等しいので、少しのかすれも許されない厳しい判定（レベル１）でも、かすれがある程度許される甘い判定（レベル３）でもＯＫである。
（２）読み取り結果（テストパタン読み取りデータ）が（００１１０１１１１）の場合は、１ビットラインが読み取られていないので（レベル１）では不合格とするが、（レベル３）では合格とする。
（３）読み取り結果（テストパタン読み取りデータ）が（０００００１１１１）の場合は、１ビットライン、２ビットラインが読み取られていないので（レベル１）では不合格とするが、（レベル３）では合格とする。
（４）読み取り結果（テストパタン読み取りデータ）が（０００００００００）の場合は、１ビットライン、２ビットライン、４ビットラインが読み取られていないので（レベル１）及び（レベル３）とも不合格とする。
【００３２】
次に、フローチャートを用いて具体例１のファクシミリ装置の動作について説明する。
図６は、具体例２の動作のフローチャートである。
図６のステップＳ１〜ステップＳ１３に従って具体例２のファクシミリ装置の動作について説明する。
【００３３】
ステップＳ１
具体例２のファクシミリ装置は画データの着信を待って待機している。
ステップＳ２
ＦＡＸ通信部４（図４）は、回線を介して画データの受信を開始し、制御部８（図４）は、この受信画データをメモリ部３（図４）に格納させる。
【００３４】
ステップＳ３
画データ解析部１１は、画データの内容を参照し、画データの文字の複雑性を調査する。
即ち、受信画データの内容を参照し、白以外のビットの連続性とビットの変化の頻度を計算する。ビットの連続性が高く、変化の頻度が少ない場合、受信画データは、大きな文字が多い構成であると判断する。
逆にビットの連続性が低く、変化の頻度が多い場合、受信画データは、小さな文字が多い構成であると判定する。
【００３５】
ステップＳ４
制御部（図４）は、印刷部５（図４）に印刷開始を指示し、メモリ部３（図４）から受信画データを読み出し、同様にテストパタン・データ処理部７（図４）からテストパタン書き込みデータを読み出して、印刷部５（図４）へ送る。
【００３６】
ステップＳ５
印刷部５（図４）は、受信画データと共にテストパタンを用紙上に印刷する。
ステップＳ６
テストパタン読み取り部６（図４）は、用紙上のテストパタンを読み取ってテストパタン読み取りデータをテストパタン・データ処理部７（図４）へ送る。印刷部５（図４）は用紙を排出する。
【００３７】
ステップＳ７
制御部８（図４）は、画データ解析部１１の受信画評価結果を受け入れて、受信画中に大きな文字が多く含まれているか又は小さな文字が多く含まれているかを判断し、大きな文字が多い場合にはステップＳ８へ、小さな文字が多い場合にはステップＳ１４へ進む。
【００３８】
ステップＳ８
テストパタン・データ処理部７（図１）は、テストパタン読み取りデータを受け入れて印刷状態を上記動作原理のレベル３で評価し、テストパタン評価結果を制御部８（図４）へ送る。制御部８（図４）は、このテストパタン評価結果に基づいて、正常に印刷されている（図５の（ｄ）の（１）、（２）、（３））ときは、ステップＳ９へ進み、かすれて印刷されている（図５の（ｄ）の（４））ときは、ステップＳ１０へ進む。
【００３９】
ステップＳ９
制御部８（図４）は、受信画データをメモリ部３（図４）から消去して、ステップＳ１へ戻って後に続く画データの受入を待つ。
ステップＳ１０
制御部８（図４）は、受信画データをメモリ部３（図４）に格納したまま操作・表示部１（図４）を制御してアラームを表示させる。
【００４０】
ステップＳ１１
アラーム表示を検知した操作者が、印刷結果を検査して印刷がかすれていないと判断した場合にはステップＳ１３へ進み、印刷がかすれている場合はステップＳ１２へ進む。
ステップＳ１２
操作者が、再印刷を指示すると受信画データはメモリ部３（図４）に格納されたままステップＳ５へ戻って再印刷が開始される。
【００４１】
ステップＳ１３
操作者が、受信画データの消去を指示するとメモリ部３（図４）に格納された受信画データは消去され（ステップＳ９）、ステップＳ１へ戻って後に続く画データの受入を待つ。
【００４２】
ステップＳ１４
テストパタン・データ処理部７（図４）は、テストパタン読み取りデータを受け入れて印刷状態を上記動作原理のレベル１で評価し、テストパタン評価結果を制御部８（図４）へ送る。制御部８（図４）は、このテストパタン評価結果に基づいて、正常に印刷されている（図５の（ｄ）の（１））ときは、ステップＳ９へ進み、ステップＳ１へ戻って後に続く画データの受入を待つ。かすれて印刷されている（図５の（ｄ）の（２）、（３）、（４））ときは、ステップＳ１０へ進み、上記ステップＳ１１、ステップＳ１２を通ってステップＳ５へ戻るか、又はステップＳ１１、ステップＳ１３、ステップＳ９を通ってステップＳ１へ戻って後に続く画データの受入を待つ。
【００４３】
〈具体例２の効果〉
具体例２の構成を採用することによって、具体例１の効果にプラスして以下の効果を得る。
１．受信画データに大きい文字が多く含まれている場合に評価基準を甘く変更できるので無駄な再印刷指示を排除できるため、印刷効率を上げることができる。
２．受信画データに小さい文字が多く含まれている場合に評価基準を厳しく変更できるので文字のかすれの確認が容易になり印刷品質を向上させることができる。
【００４４】
〈具体例３の構成〉
従来のファクシミリ装置にも、印刷物にかすれが発生しそうになった時、アラーム表示を行うものがある。しかし、アラーム表示が出た後に、すぐに操作者が改善を施すわけではなく、改善を施すか、あるいは、この状況のまま使い続けるかを操作者が決定する。もし操作者が、この状況で使用し続けたいと考えた場合には、アラーム表示は無駄になる。かかる場合に対処するために具体例３は、以下のように構成される。
【００４５】
図７は、具体例３の構成のブロック図である。
図７より、具体例３のファクシミリ装置は、操作・表示部１と、原稿読み取り部２と、メモリ部３と、ＦＡＸ通信部４と、印刷部５と、テストパタン読み取り部６と、テストパタン・データ処理部７と、制御部８と、パラメータ記憶部２１とによって構成される。
【００４６】
具体例３との差異のみについて説明する。
パラメータ記憶部２１は、上記テストパタン評価結果の評価基準を定める、かすれ判定パラメータを格納する部分である。
他の構成部分は全て具体例１と同様である。
【００４７】
ここで、かすれ判定パラメータとは、テストパタン評価結果の判定基準であって、例えば以下のように定められる。
かすれ判定パラメータは、レベル１、レベル２、レベル３の３段階に分かれる。それぞれのレベルと判定基準は以下のように定められる。
レベル２
判定基準は、「普通」である。ファクシミリ装置が出荷された時点から操作者が最初に消耗品を交換等するまでの状態である。
レベル１
判定基準は、「厳しい」である。少しのかすれも許されない状態である。即ち、全てのビットラインが正常に印刷されていることが求められる。
レベル３
判定基準は、「甘い」である。多くかすれていても合格とされる。即ち、４ビットラインが正常に印刷されていれば良い状態である。
【００４８】
〈具体例３の動作〉
最初に図を用いて動作原理について説明する。
図８は、具体例３の動作原理説明図である。
（ａ）は、テストパタンの一例を表している。
（ｂ）は、テストパタン読み取り例（正常に印刷されている場合）を表している。
（ｃ）は、テストパタン読み取り例（かすれている場合）を表している。
（ｄ）は、読み取り結果と合格、失格の判定の一例を表している。
【００４９】
（ａ）より、上記印刷部（印刷処理）５−１（図２）によって用紙１０上に印刷されたテストパタンは、用紙１０上の片隅に、テストパタン１２に示すように用紙１０の進行方向に直角な１ビットの黒ライン、１ビットの白ライン、２ビットの黒ライン、１ビットの白ライン、４ビットの黒ラインが平行して印刷される。このときのテストパタン書き込みデータ１３はデータ値（１０１１０１１１１）である。
【００５０】
（ｂ）より、テストパタンは、テストパタン読み取り部６によって矢印の方向に読み取られる。このときのテストパタン読み取りデータ１４は、データ値（１０１１０１１１１）である。このデータ値（１０１１０１１１１）はテストパタン書き込みデータ１３のデータ値（１０１１０１１１１）と同じである。この状態は、正常に印刷されている状態である。
【００５１】
（ｃ）より、テストパタンは、テストパタン読み取り部６によって矢印の方向に読み取られる。このときのテストパタン読み取りデータ１４は、データ値（００１１０１１１１）である。このデータ値（００１１０１１１１）はテストパタン書き込みデータ１３のデータ値（１０１１０１１１１）と異なる。この状態は、テストパタンの最初の１ビットが読み取られていないので、かすれていると判断される。
【００５２】
（ｄ）より、（１）読み取り結果（テストパタン読み取りデータ）が（１０１１０１１１１）の場合は、テストパタン書き込みデータ１３のデータ値（１０１１０１１１１）と等しいので、少しのかすれでも失格とされる厳しい判定（レベル１）でも、普通の判定（レベル２）でも、多くかすれていても合格とする甘い判定（レベル２）でも合格である。
（２）読み取り結果（テストパタン読み取りデータ）が（００１１０１１１１）の場合は、１ビットラインが読み取られていないので（レベル１）では不合格とするが、（レベル２）と（レベル３）では合格とする。
【００５３】
（３）読み取り結果（テストパタン読み取りデータ）が（０００００１１１１）の場合は、１ビットライン、２ビットラインが読み取られていないので（レベル１）と（レベル２）では不合格とするが、（レベル３）では合格とする。
（４）読み取り結果（テストパタン読み取りデータ）が（０００００００００）の場合は、１ビットライン、２ビットライン、４ビットラインが読み取られていないので（レベル１）、（レベル２）、（レベル３）とも不合格とする。
【００５４】
次に、フローチャートを用いて具体例３のファクシミリ装置の動作について説明する。
図９は、具体例３の動作のフローチャートである。
図９のステップＳ１〜ステップＳ１４に従って具体例３のファクシミリ装置の動作について説明する。
【００５５】
ステップＳ１
具体例１のファクシミリ装置は画データの着信を待って待機している。
ステップＳ２
ＦＡＸ通信部４（図７）は、回線を介して画データの受信を開始し、制御部８（図７）は、この受信画データをメモリ部３（図７）に格納させる。
【００５６】
ステップＳ３
制御部（図７）は、印刷部５（図７）に印刷開始を指示し、メモリ部３（図７）から受信画データを読み出し、同様にテストパタン・データ処理部７（図７）からテストパタン書き込みデータを読み出して、印刷部５（図７）へ送る。
【００５７】
ステップＳ４
印刷部５（図７）は、受信画データと共にテストパタンを用紙上に印刷する。
ステップＳ５
テストパタン読み取り部６（図７）は、用紙上のテストパタンを読み取ってテストパタン読み取ってデータをテストパタン・データ処理部７（図７）へ送る。
印刷部５（図７）は用紙を排出する。
【００５８】
ステップＳ６
テストパタン・データ処理部７（図７）は、テストパタン読み取りデータを受け入れて印刷状態を上記動作原理に従って評価し、テストパタン評価結果を制御部８（図７）へ送る。
この場合のかすれ判定パラメータは、（レベル２）と仮定する。
制御部８（図７）は、このテストパタン評価結果に基づいて、正常に印刷されている（図８の（ｄ）の（１）、（２））ときは、ステップＳ７へ進み、かすれて印刷されている（図８の（ｄ）の（３）、（４））ときは、ステップＳ８へ進む。
【００５９】
ステップＳ７
制御部８（図７）は、受信画データをメモリ部３（図７）から消去して、ステップＳ１へ戻って後に続く画データの受入を待つ。
ステップＳ８
制御部８（図４）は、受信画データをメモリ部３（図４）に格納したまま操作・表示部１（図４）を制御してアラームを表示させる。
【００６０】
ステップＳ９
アラーム表示を検知した操作者が、印刷結果を検査して印刷がかすれていない場合にはステップＳ１３へ進み、印刷がかすれている場合はステップＳ１０へ進む。
ステップＳ１０
操作者は、消耗品の交換等によって印刷品質を向上させる。
【００６１】
ステップＳ１１
操作者が、再印刷を指示する。
ステップＳ１２
かすれ判定パラメータのレベルが１段上がってレベル１になり、受信画データがメモリ部３（図１）に格納されたままステップＳ４へ戻って、再印刷が開始される。
【００６２】
ステップＳ１３
操作者が、受信画データの消去を指示する。
ステップＳ１４
かすれ判定パラメータのレベルが１段下がってレベル３になり、メモリ部３（図４）に格納された受信画データは消去され（ステップＳ７）、ステップＳ１へ戻って後に続く画データの受入を待つ。
【００６３】
〈具体例３の効果〉
具体例３の構成を採用することによって、具体例１の効果にプラスして以下の効果を得る。
１．許容される範囲でのかすれの場合には、消耗品の交換無しにアラーム表示の無い状態で印刷を継続することができる。但しかすれ判定パラメータが１段下がっているので消耗品の交換の時期が近づいているのを知ることができる。
２．消耗品を交換した時は、かすれ判定パラメータが１段上がっているので、消耗品を最近交換したばかりであることを知ることができる。
【図面の簡単な説明】
【図１】具体例１の構成のブロック図である。
【図２】具体例１の動作原理説明図である。
【図３】具体例１の動作のフローチャートである。
【図４】具体例２の構成のブロック図である。
【図５】具体例２の動作原理説明図である。
【図６】具体例２の動作のフローチャートである。
【図７】具体例３の構成のブロック図である。
【図８】具体例３の動作原理説明図である。
【図９】具体例３の動作のフローチャートである。
【符号の説明】
１  操作・表示部
２  原稿読み取り部
３  メモリ部
４  ＦＡＸ通信部
５  印刷部
６  テストパタン読み取り部
７  テストパタン・データ処理部
８  制御部
【図１】
0004318387.tif 000002
【図２】
0004318387.tif 000003
【図３】
0004318387.tif 000004
【図４】
0004318387.tif 000005
【図５】
0004318387.tif 000006
【図６】
0004318387.tif 000007
【図７】
0004318387.tif 000008
【図８】
0004318387.tif 000009
【図９】
0004318387.tif 000010